【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
石膏ボード破砕物を原料とし、建設汚泥処理土の適用用途標準第３種の強度標準を満たす割合で高炉セメントを混合することを特徴とする軽量盛土用土壌固化材の製造方法。
【請求項２】
石膏ボード破砕物を原料とし、建設汚泥処理土の適用用途標準第３種の強度標準を満たす割合で高炉セメントおよびフライアッシュを混合することを特徴とする軽量盛土用土壌固化材の製造方法。
【請求項３】
石膏ボード破砕物を原料とし、建設汚泥処理土の適用用途標準第３種の強度標準を満たす割合で高炉セメントおよびリモナイトを混合することを特徴とする軽量盛土用土壌固化材の製造方法。
【請求項４】
石膏ボード破砕物を原料とし、これに高炉セメントを重量比で４％ないし１０％の範囲で混合してあることを特徴とする軽量盛土用土壌固化材。
【請求項５】
石膏ボード破砕物を原料とし、これに高炉セメントおよびフライアッシュを重量比１：１の割合で混合したものを、重量比で４％ないし１０％の範囲で混合してあることを特徴とする軽量盛土用土壌固化材。
【請求項６】
石膏ボード破砕物を原料とし、これに高炉セメントおよびリモナイトを重量比１：１の割合で混合したものを、重量比で４％ないし１０％の範囲で混合してあることを特徴とする軽量盛土用土壌固化材。
【手続補正２】
【補正対象書類名】明細書
【補正対象項目名】発明の名称
【補正方法】変更
【補正の内容】
【発明の名称】軽量盛土用土壌固化材の製造方法及び軽量盛土用土壌固化材
【手続補正３】
【補正対象書類名】明細書
【補正対象項目名】００１２
【補正方法】変更
【補正の内容】
【００１２】
本発明は、粉砕された廃石膏ボードに高炉セメント単体、または高炉セメントとフライアッシュ混合物、または高炉セメントとリモナイト混合物を混合して製造された軽量盛土用土壌固化材を使用することを主要な特徴とする。
【手続補正４】
【補正対象書類名】明細書
【補正対象項目名】００１３
【補正方法】変更
【補正の内容】
【００１３】
第１の発明は、粉砕された廃石膏ボードに、高炉セメントを混練して軽量盛土用土壌固化材を製造することを主要な特徴とする。
【手続補正５】
【補正対象書類名】明細書
【補正対象項目名】００１４
【補正方法】変更
【補正の内容】
【００１４】
第２の発明は、粉砕された廃石膏ボードに、高炉セメントとフライアッシュ混合物を混練して軽量盛土用土壌固化材を製造することを主要な特徴とする。
【手続補正６】
【補正対象書類名】明細書
【補正対象項目名】００１５
【補正方法】変更
【補正の内容】
【００１５】
第３の発明は、粉砕された廃石膏ボードに、高炉セメントとリモナイト混合物を混練して軽量盛土用土壌固化材を製造することを主要な特徴とする。
【手続補正７】
【補正対象書類名】明細書
【補正対象項目名】００１６
【補正方法】変更
【補正の内容】
【００１６】
本発明の軽量盛土用土壌固化材を使用した軽量盛土は、建設汚泥処理土の適用用途標準第３種の強度標準を満たすだけでなく比重０．８程度という従来にない軽量性を有する。このため、斜面に道路を建設する際の路肩を強化する工事の低減にもつながり、また軟弱地盤を軽量化しながら必要強度を得るという利点を持つ。さらに、年間１００万トン以上排出され、その大部分が最終処分場に埋立処分されていたため、最終処分場の不足原因となっていた廃石膏ボードの有効活用という利点を併せ持つ。
【手続補正８】
【補正対象書類名】明細書
【補正対象項目名】００１９
【補正方法】変更
【補正の内容】
【００１９】
高炉セメントは、太平洋セメント製のジオセット２００を使用し、廃石膏ボードに対し、重量比で４％ないし１０％の範囲で添加するが、６％を添加するのが軽量盛土用土壌固化材として望ましい。
【手続補正９】
【補正対象書類名】明細書
【補正対象項目名】００２０
【補正方法】変更
【補正の内容】
【００２０】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【手続補正１０】
【補正対象書類名】明細書
【補正対象項目名】００２１
【補正方法】変更
【補正の内容】
【００２１】
この軽量盛土用土壌固化材は、使用時まで乾燥状態で保管し、工事現場において１立米のシルトに対し、１００ｋｇないし２００ｋｇの割合で混合して盛土として使用する。
【手続補正１１】
【補正対象書類名】明細書
【補正対象項目名】００２２
【補正方法】変更
【補正の内容】
【００２２】
そのような軽量盛土は、比重が０．８程度となり、建設汚泥処理土の適用用途標準第３種の強度標準を満たす。
【手続補正１２】
【補正対象書類名】明細書
【補正対象項目名】００２４
【補正方法】変更
【補正の内容】
【００２４】
高炉セメントは太平洋セメント製のジオセット２００、フライアッシュは九州電力苓北発電所のフライアッシュを重量比１対１の割合で混合したものを使用し、廃石膏ボードに対し、重量比で４％ないし１０％の範囲で添加するが、６％を添加するのが軽量盛土用土壌固化材として望ましい。
【手続補正１３】
【補正対象書類名】明細書
【補正対象項目名】００２５
【補正方法】変更
【補正の内容】
【００２５】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【手続補正１４】
【補正対象書類名】明細書
【補正対象項目名】００２６
【補正方法】変更
【補正の内容】
【００２６】
この軽量盛土用土壌固化材は、使用時まで乾燥状態で保管し、工事現場において１立米のシルトに対し、１００ｋｇないし２００ｋｇの割合で混合して盛土として使用する。
【手続補正１５】
【補正対象書類名】明細書
【補正対象項目名】００２７
【補正方法】変更
【補正の内容】
【００２７】
そのような軽量盛土は、比重が０．８程度となり、建設汚泥処理土の適用用途標準第３種の強度標準を満たす。
【手続補正１６】
【補正対象書類名】明細書
【補正対象項目名】００２９
【補正方法】変更
【補正の内容】
【００２９】
高炉セメントは太平洋セメント製のジオセット２００、リモナイトは日本リモナイト製のリモニドを重量比１対１の割合で混合したものを使用し、廃石膏ボードに対し、重量比で４％ないし１０％の範囲で添加するが、６％を添加するのが軽量盛土用土壌固化材として望ましい。
【手続補正１７】
【補正対象書類名】明細書
【補正対象項目名】００３０
【補正方法】変更
【補正の内容】
【００３０】
この軽量盛土用土壌固化材１００ｇに、河川水に石膏および紙片を加え３５℃の条件で硫酸還元菌を培養した溶液５ｇを加え、３５℃環境で一週間保温したが、硫化水素の発生は見られなかった。
【手続補正１８】
【補正対象書類名】明細書
【補正対象項目名】００３１
【補正方法】変更
【補正の内容】
【００３１】
この軽量盛土用土壌固化材は、使用時まで乾燥状態で保管し、工事現場において１立米のシルトに対し、１００ｋｇないし２００ｋｇの割合で混合して盛土として使用する。
【手続補正１９】
【補正対象書類名】明細書
【補正対象項目名】００３２
【補正方法】変更
【補正の内容】
【００３２】
そのような軽量盛土は、比重が０．８程度となり、建設汚泥処理土の適用用途標準第３種の強度標準を満たす。